(57)【要約】【課題】  通知手段を備えた無線タグリーダを携帯することで、携帯物の置き忘れおよび電気製品やガス器具等の消し忘れを確認できるシステムを安価に提供すること。【解決手段】  巡回の開始に係る操作が為された場合または最初に読取るべき予め定められたタグ情報を読取った場合に、動作状態をチェックすべき所定の機器の近傍または携帯物の置き場所の近傍に設置されている１以上の無線タグからタグ情報を読取る無線タグリーダが前記無線タグからタグ情報を読取る毎に、前記読取ったタグ情報を蓄積し、照合に係る操作が為されたならば、または最後に読取るべき予め定められたタグ情報を読取ったならば、前記蓄積したタグ情報と前記登録されているタグ情報を照合し、前記チェックすべき前記機器または前記置き場所の各々の近傍を通過したか否かに係る情報を自装置が備える表示部に表示する。【選択図】    図１
2017033057.tif 000002
【特許請求の範囲】
【請求項１】
動作状態をチェックすべき所定の機器の近傍を通過して巡回したか否か、または携帯物の置き場所の近傍を通過して巡回したか否かをチェックする携帯型の巡回チェック装置であって、
前記機器の近傍または前記置き場所の近傍に設置されている１以上の無線タグからタグ情報を読取る無線タグリーダと、前記読取ったタグ情報を蓄積する読取タグ情報蓄積手段と、チェックすべき前記機器または前記置き場所に係る情報をタグ情報と対応付けて予め登録しておく巡回情報登録手段と、を有し、
巡回の開始に係る操作が為された場合または最初に読取るべき予め定められたタグ情報を読取った場合に、前記無線タグリーダが前記無線タグからタグ情報を読取る毎に、前記読取ったタグ情報を蓄積し、照合に係る操作が為されたならば、または最後に読取るべき予め定められたタグ情報を読取ったならば、前記蓄積したタグ情報と前記登録されているタグ情報を照合し、前記チェックすべき前記機器または前記置き場所の各々の近傍を通過したか否かに係る情報を自装置が備える表示部に表示することを特徴とする携帯型巡回チェック装置。
【請求項２】
請求項１に記載の巡回チェック装置であって、
前記巡回情報登録手段は、前記チェックすべき前記機器または前記置き場所のチェックに要する最小のチェック時間に係る情報をタグ情報と対応付けて予め登録しておく手段をさらに有し、
巡回の開始に係る操作が為された場合または最初に読取るべき予め定められたタグ情報を読取った場合に、前記読取ったタグ情報および前記タグ情報を読取っている時間に係る情報を蓄積し、照合に係る操作が為されたならば、または最後に読取るべき予め定められたタグ情報を読取ったならば、前記蓄積したタグ情報と前記登録されているタグ情報を照合し、前記チェックすべき前記機器または前記置き場所の各々の内、前記読取っている時間が前記最小のチェック時間に満たない前記機器または前記置き場所に係る情報を自装置が備える表示部に表示することを特徴とする携帯型巡回チェック装置。
【発明の詳細な説明】
【技術分野】
【０００１】
本発明は、利用者が外出時に持参すべき携帯物の置き忘れおよび電気製品、ガス器具等の消し忘れを確認できるような携帯型巡回チェック装置に関する。
【背景技術】
【０００２】
従来、無線タグが付された手荷物を検知して、外出時に持参すべき手荷物が揃っているかどうかをチェックする手荷物置き忘れ防止システムが知られている（例えば、特許文献１）。
【０００３】
この特許文献１に記載された手荷物置き忘れ防止システムは、出入り口付近に無線タグリーダを備え、無線タグが付された手荷物を持参した利用者が出入り口を通過する際に、予め登録された手荷物情報と照合し、不足があった場合に通知するものである。これにより、外出時に忘れ物を防止することができる。
【０００４】
しかしながら、特許文献１に記載された技術は、出入り口付近に無線タグリーダと、通知手段である表示装置およびスピーカを設置することが前提であり、そのことにより、電源ケーブルと通信ケーブルを含めた設置工事が必要になり、システムが高額になるという問題がある。また、外出時には手荷物以外にも、屋内の電気製品やガス器具等の消し忘れを確認したいことがあるが、特許文献１に記載された技術では実現できない。
【先行技術文献】
【特許文献】
【０００５】
【特許文献１】特開２００４−２１３１３０号公報
【発明の概要】
【発明が解決しようとする課題】
【０００６】
そこで、本発明の課題は、通知手段を備えた無線タグリーダを携帯することで、携帯物の置き忘れおよび電気製品やガス器具等の消し忘れを確認できるシステムを安価に提供することにある。
【課題を解決するための手段】
【０００７】
上記課題を解決するために、本発明は、動作状態をチェックすべき所定の機器の近傍を通過して巡回したか否か、または携帯物の置き場所の近傍を通過して巡回したか否かをチェックする携帯型の巡回チェック装置であって、前記機器の近傍または前記置き場所の近傍に設置されている１以上の無線タグからタグ情報を読取る無線タグリーダと、前記読取ったタグ情報を蓄積する読取タグ情報蓄積手段と、チェックすべき前記機器または前記置き場所に係る情報をタグ情報と対応付けて予め登録しておく巡回情報登録手段と、を有し、巡回の開始に係る操作が為された場合または最初に読取るべき予め定められたタグ情報を読取った場合に、前記無線タグリーダが前記無線タグからタグ情報を読取る毎に、前記読取ったタグ情報を蓄積し、照合に係る操作が為されたならば、または最後に読取るべき予め定められたタグ情報を読取ったならば、前記蓄積したタグ情報と前記登録されているタグ情報を照合し、前記チェックすべき前記機器または前記置き場所の各々の近傍を通過したか否かに係る情報を自装置が備える表示部に表示することを特徴とする。
【発明の効果】
【０００８】
本発明によれば、通知手段を備えた無線タグリーダを携帯することで、外出時に持参すべき携帯物および電気製品やガス器具等の消し忘れを確認可能なシステムを安価に提供できる。
【図面の簡単な説明】
【０００９】
【図１】本発明による携帯型巡回チェック装置とシステム全体の概念を説明するための説明図
【図２】本発明による携帯型巡回チェック３の内部ブロック図および携帯型巡回チェック装置の全体構成図
【図３】本発明による実施例１の動作フローチャート
【図４】本発明による実施例２の動作フローチャート
【図５】本発明による実施例１および実施例２に係る読取タグ情報蓄積手段および巡回情報登録手段に格納される情報の一例
【発明を実施するための形態】
【００１０】
以下、本発明の実施形態について、図面を用いて説明する。
【実施例１】
【００１１】
図１は、本発明による携帯型巡回チェック装置のシステム全体（以下、本システムと略す）の概念の説明図である。
【００１２】
まず、本システムは、１以上の所定の無線タグと、タグ情報を読み取る無線タグリーダである無線タグ受信部を搭載した携帯型巡回チェック装置３で構成され、無線タグは、外出時に持参すべき携帯物または外出時に消すべき電気製品、ガス器具等の近傍に設置される確認対象用無線タグ１と、外出を検知して所定の携帯物の置き忘れおよび所定の機器の消し忘れをチェックするために玄関ドア付近に設置される照合用無線タグ２で構成される。
【００１３】
利用者が携帯型巡回チェック装置３を携帯しながら、確認対象用無線タグ１が設置された携帯物または機器の所定の距離まで近付く度に、携帯型巡回チェック装置３が確認対象用無線タグ１を検知していくことで所定の携帯物を持参または所定の機器を消したとみなし、照合用無線タグ２が設置された玄関ドアに近付くと、携帯型巡回チェック装置３が照合用無線タグ２を検知し、自動的に携帯物の置き忘れおよび機器の消し忘れをチェックする状況を示している。
【００１４】
図２は、携帯型巡回チェック装置３の内部ブロック図と本システムの全体構成図である。携帯型巡回チェック装置３は、無線タグ受信部４、主制御部５、音声信号出力部６、スピーカ７、表示制御部８、表示装置９、操作部１０、記憶部１１、計時回路１２、通知制御部１３、無線通信制御部１４から構成される。
【００１５】
無線タグ受信部４は、確認対象用無線タグ１および照合用無線タグ２を検知し、タグ情報を主制御部５へ出力する。
【００１６】
主制御部５は、携帯型巡回チェック装置３の全体を制御する手段であって、無線タグ受信部４、音声信号出力部６、表示制御部８、操作部１０、記憶部１１、計時回路１２、通知制御部１３との間で各種データを入出力および処理を実行する。
【００１７】
音声信号出力部６は、主制御部５から入力した信号を音声信号に変換してスピーカ７へ出力する。
【００１８】
表示制御部８は、主制御部５から入力した信号を表示信号に変換して表示装置９へ出力する。
【００１９】
表示装置９は、表示制御部８から受信した信号をディスプレイに表示する装置である。
【００２０】
操作部１０は、表示装置９に表示されている情報を切り替えたり、照合処理を開始するための信号を主制御部５へ出力する。
【００２１】
記憶部１１は、無線タグ受信部４で検知したタグ情報と検知時刻を記憶しておく手段である。また、チェック対象である機器および携帯物の置き場所のチェックに要する最小のチェック時間に係る情報をタグ情報と対応付けて予め記憶しておく手段でもある。
【００２２】
計時回路１２は、実時刻を生成する手段であり、主制御部５へ出力する。
【００２３】
通知制御部１３は、無線タグ受信部４で検知したタグ情報と検知時刻を、携帯情報端末１６へ通知するための手段であり、主制御部５より入力した信号を通知信号に変換して無線通信制御部１４へ出力する。通知に失敗した場合には、無線通信制御部１４から通知失敗した旨の信号を受信し、主制御部５へ出力する。
【００２４】
無線通信制御部１４は、通知制御部１３から受信した通知信号を、通知先である携帯情報端末１６へネットワーク１５を介して送信する。送信に失敗した場合には、ネットワーク１５から送信失敗した旨の信号を受信し、通知制御部１３へ出力する。
【００２５】
図３は、本システムの実施例１の動作フローチャートである。
【００２６】
本フローのスタート後（Ｓ３００）、無線タグ受信部４が確認対象用無線タグ１を検知したならば（Ｓ３０１：ＹＥＳ）、主制御部５は、計時回路１２の現在時刻を取得し、検知したタグ情報と共に記憶部１１へ格納し（Ｓ３０２）、Ｓ３０１へ戻る。
【００２７】
Ｓ３０１で確認対象用無線タグ１を検知しない場合（Ｓ３０１：ＮＯ）、Ｓ３０３へ進む。
【００２８】
無線タグ受信部４が照合用無線タグ２を検知、または、操作部１０で照合操作したならば（Ｓ３０３：ＹＥＳ）、主制御部５は音声信号出力部６を介してスピーカ７へ音声を送信する（Ｓ３０４）。
【００２９】
Ｓ３０３で照合用無線タグ２を検知せず、且つ、操作部１０で照合操作しないならば（Ｓ３０３：ＮＯ）、Ｓ３０１へ戻る。
【００３０】
主制御部５は、記憶部１１に格納された確認対象用無線タグ１のタグ情報と検知時刻を、表示制御部８を介して表示装置９へ送信する（Ｓ３０５）。
【００３１】
通知制御部１３は、記憶部１１に格納された確認対象用無線タグ１のタグ情報と検知時刻の通知を生成し、予め設定された所定の宛先である携帯情報端末１６へ無線通信制御部１４を経由して送信する（Ｓ３０６）。
【００３２】
Ｓ３０７で通知送信が失敗したならば（Ｓ３０７：ＮＯ）、主制御部５は、通知制御部１３より確認対象用無線タグ１のタグ情報と検知時刻の通知に失敗した旨を受信し、表示制御部８から表示装置９へ通知エラーを送信する（Ｓ３０８）。
【００３３】
Ｓ３０７で通知送信が成功した場合（Ｓ３０７：ＹＥＳ）、Ｓ３０９へ進む。
【００３４】
Ｓ３０９で一定時間経過した場合（Ｓ３０９：ＹＥＳ）、Ｓ３１１へ進む。
【００３５】
Ｓ３０９で一定時間経過しない場合（Ｓ３０９：ＮＯ）、そのまま滞留する。
【００３６】
操作部１０で表示変更操作がされない場合（Ｓ３１０：ＮＯ）、Ｓ３０９へ戻る。
【００３７】
操作部１０で表示変更操作がされた場合（Ｓ３１０：ＹＥＳ）、主制御部５は、計時回路１２の現在時刻を取得し、表示制御部８へ送信し、表示装置９に現在時刻を表示し（Ｓ３１１）、Ｓ３０１へ戻る。
【００３８】
本発明の実施例１によれば、照合用無線タグ２が設置されている玄関ドア付近で、記憶部１１に格納された複数の確認対象用無線タグ１の検知時刻を携帯型巡回チェック装置３または所定の携帯情報端末１６で確認することが可能になり、検知時刻が一定時間以上経過しているタグ情報について、該当する携帯物の置き場所または機器の近傍を巡回していないことを示唆しており、携帯物または機器の状態をすぐに再確認できるという効果がある。
【実施例２】
【００３９】
図４は、本システムの実施例２の動作フローチャートである。
【００４０】
本フローのスタート後（Ｓ４００）、無線タグ受信部４が確認対象用無線タグ１を検知したならば（Ｓ４０１：ＹＥＳ）、主制御部５は、計時回路１２の現在時刻を取得し、検知したタグ情報と共に記憶部１１へ格納し（Ｓ４０２）、Ｓ４０１へ戻る。
【００４１】
Ｓ４０１で確認対象用無線タグ１を検知しない場合（Ｓ４０１：ＮＯ）、Ｓ４０３へ進む。
【００４２】
無線タグ受信部４が照合用無線タグ２を検知、または、操作部１０で照合操作したならば（Ｓ４０３：ＹＥＳ）、主制御部５は音声信号出力部６を介してスピーカ７へ音声を送信する（Ｓ４０４）。
【００４３】
Ｓ４０３で照合用無線タグ２を検知せず、且つ、操作部１０で照合操作しないならば（Ｓ４０３：ＮＯ）、Ｓ４０１へ戻る。
【００４４】
主制御部５は、記憶部１１に格納された確認対象用無線タグ１のタグ情報と検知時刻を読み出し、現在時刻と比較する（Ｓ４０５）。
【００４５】
Ｓ４０６で一定時間経過した場合（Ｓ４０６：ＹＥＳ）、Ｓ４０７へ進む。
【００４６】
Ｓ４０６で一定時間経過しない場合（Ｓ４０６：ＮＯ）、Ｓ４０１へ戻る。
【００４７】
主制御部５は、Ｓ４０２で記憶部１１に格納された確認対象用無線タグ情報と検知時刻を読み出し、現在時刻と比較する（Ｓ４０５）。
【００４８】
Ｓ４０６で一定時間以上経過していた場合（Ｓ４０６：ＹＥＳ）、主制御部５は当該確認対象用無線タグを未検知と判断し、音声信号出力部６を介してスピーカ７へ音声を送信する（Ｓ４０７）。
【００４９】
主制御部５は、Ｓ４０７で未検知と判断した確認対象用無線タグ情報を、表示制御部８を介して表示装置９へ送信する（Ｓ４０８）。
【００５０】
通知制御部１３は、Ｓ４０７で主制御部５が未検知と判断した確認対象用無線タグ情報の通知を生成し、予め設定された所定の宛先である携帯情報端末１６へ無線通信制御部１４を経由して送信する（Ｓ４０９）。
【００５１】
Ｓ４１０で通知送信が失敗したならば（Ｓ４１０：ＮＯ）、主制御部５は、通知制御部１３より確認対象用無線タグ情報の通知送信に失敗した旨を受信し、表示制御部８から表示装置９へ通知エラーを送信する（Ｓ４１１）。
【００５２】
Ｓ４１０で通知送信が成功した場合（Ｓ４１０：ＹＥＳ）、Ｓ４１２へ進む。
【００５３】
Ｓ４１２で一定時間経過した場合（Ｓ４１２：ＹＥＳ）、Ｓ４１４へ進む。
【００５４】
Ｓ４１２で一定時間経過しない場合（Ｓ４１２：ＮＯ）、そのまま滞留する。
【００５５】
操作部１０で表示変更操作がされない場合（Ｓ４１３：ＮＯ）、Ｓ４１２へ戻る。
【００５６】
操作部１０で表示変更操作がされた場合（Ｓ４１３：ＹＥＳ）、主制御部５は、計時回路１２の現在時刻を取得し、表示制御部８へ送信し、表示装置９に現在時刻を表示し（Ｓ４１４）、Ｓ４０１へ戻る。
【００５７】
本発明の実施例２によれば、照合用無線タグ２が設置されている玄関ドア付近で、記憶部１１に格納された複数の確認対象用無線タグ１の検知時刻が、一定時間以上経過していた場合に当該確認対象用無線タグは未検知と判断する。未検知と判断されたタグ情報は、携帯型巡回チェック装置３または所定の携帯情報端末１６で確認することが可能になり、該当する携帯物の置き場所または機器の近傍を巡回していないことを示唆しており、携帯物または機器の状態をすぐに再確認できるという効果がある。
【００５８】
また、実施例１では、確認対象用無線タグ１を検知した時間、すなわち所定の携帯物または機器の近傍を巡回した時間の全てを携帯型巡回チェック装置３または所定の携帯情報端末１６の表示装置に表示するのに対して、実施例２では、未検知と判断した携帯物または機器のみを表示するため、実施例１よりも少ない情報量となり、利用者が確認しやすいという効果がある。
【００５９】
図５は、本発明による実施例１および実施例２に係る記憶手段に格納される情報の一例であって、確認対象用無線タグ１の予め登録しておくタグ情報として、無線タグＩＤと登録名称およびチェック制限時間が格納されると共に、携帯型巡回チェック装置３が当該確認対象用無線タグ１を検知した場合に、それぞれの無線タグＩＤの検知時刻が格納される。
【００６０】
また、任意の確認対象用無線タグ１と同一の無線タグＩＤが携帯型巡回チェック装置３で２回目以降に検知された場合は、格納されている前回検知時刻を上書きする。
【００６１】
尚、実施例１および実施例２では、外出時における携帯物の置き忘れ、または電気製品、ガス器具等の消し忘れのチェックを前提として説明してきたが、本発明は本前提に限定されない。例えば、スタンプラリーや巡回型訪問介護のような複数のチェックポイントを巡回するようなイベントやシステムにおいても応用することができる。
【００６２】
また、本発明では、携帯型巡回チェック装置は１台で説明したが、複数台あってもよい。これにより、複数人でそれぞれ異なる条件のチェックが可能になる。
【００６３】
また、本発明では、通知手段を有する携帯型巡回チェック装置が個別に存在する構成で説明したが、無線タグリーダ機能を併せ持った携帯情報端末を用いることで、構成がより単純化され、利用者の利便性が向上できる。
【符号の説明】
【００６４】
１    確認対象用無線タグ
２    照合用無線タグ
３    携帯型巡回チェック装置
４    無線タグ受信部
５    主制御部
６    音声信号出力部
７    スピーカ
８    表示制御部
９    表示装置
１０  操作部
１１  記憶部
１２  計時回路
１３  通知制御部
１４  無線通信制御部
１５  ネットワーク
１６  携帯情報端末
【図１】
2017033057.tif 000003
【図２】
2017033057.tif 000004
【図３】
2017033057.tif 000005
【図４】
2017033057.tif 000006
【図５】
2017033057.tif 000007